(57)【特許請求の範囲】
【請求項１】
磁気記録媒体に記録された磁気データを読み取るための磁気ヘッドと、
前記磁気ヘッドの配置位置を含む予め定めた第１の領域内での磁気データの読取を妨げるための妨害磁界を発生させる妨害磁界発生コイルと、
前記磁気ヘッドの配置位置を含み前記第１の領域とは異なる第２の領域内おいて、当該妨害磁界を抑制する抑制磁界を発生させる抑制磁界発生コイルと、
を備え、
前記抑制磁界発生コイルと前記磁気ヘッドとの間の距離が、前記妨害磁界発生コイルと前記磁気ヘッドとの間の距離よりも短く、かつ、当該距離が短くなるにつれて、前記抑制磁界発生コイルによる抑制磁界の領域を狭めることを特徴とする磁気データ読取装置。
【請求項２】
磁気記録媒体に記録された磁気データを読み取るための磁気ヘッドと、
前記磁気ヘッドの配置位置を含む予め定めた第１の領域内での磁気データの読取を妨げるための妨害磁界を発生させる妨害磁界発生コイルと、
前記磁気ヘッドの配置位置を含み前記第１の領域とは異なる第２の領域内おいて、当該妨害磁界を抑制する抑制磁界を発生させる抑制磁界発生コイルと、
を備え、
前記抑制磁界発生コイルが、磁気データ読取装置を収容する筐体の外部に配置されることを特徴とする磁気データ読取装置。
【請求項３】
磁気記録媒体に記録された磁気データを読み取るための磁気ヘッドと、
前記磁気ヘッドの配置位置を含む予め定めた第１の領域内での磁気データの読取を妨げるための妨害磁界を発生させる妨害磁界発生コイルと、
前記磁気ヘッドの配置位置を含み前記第１の領域とは異なる第２の領域内おいて、当該妨害磁界を抑制する抑制磁界を発生させる抑制磁界発生コイルと、
前記磁気記録媒体を搬送する搬送路と、
を備え、
前記抑制磁界発生コイルが、前記搬送路に対して所定の傾斜角度を持って配置され、当該抑制磁界発生コイルによる抑制磁界と、前記妨害磁界発生コイルによる妨害磁界との共通領域を、前記磁気ヘッドの配置位置を含み前記第２の領域よりも狭い第３の領域内に制限することを特徴とする磁気データ読取装置。
【請求項４】
前記抑制磁界発生コイルが、前記妨害磁界との間で、磁界を打ち消し合う逆位相の磁界を発生することを特徴とする請求項１〜３の何れか一項に記載の磁気データ読取装置。
【請求項５】
前記抑制磁界発生コイルが、前記磁気ヘッドを基準として、前記妨害磁界発生コイルと対称の位置に配置されることを特徴とする請求項１〜３の何れか一項に記載の磁気データ読取装置。
【発明の詳細な説明】
【技術分野】
【０００１】
本発明は、磁気記録媒体に記録されたデータを読み取る装置に関し、特に、データの不正取得を防止する機能を備えた磁気データ読取装置に関する。
【背景技術】
【０００２】
現金自動支払機（以下、ＣＤ（Cash  Dispenser）と称す）や現金自動預け払機（以下、ＡＴＭ（Automated  Teller  Machine）と称す）などの現金取引処理装置や、さらにはカードや通帳など磁気情報が記録された媒体を利用して取引処理を行う取引処理端末において、スキミングと呼ばれる犯罪が発生している。代表的なスキミングの方法は、磁気ヘッドを備えた不正磁気データ読取装置を、元々の磁気データ読取装置の磁気情報記録媒体の挿入口に被せるように設置して、磁気ストライプの磁気情報を不正に取得するものである。この対策として、磁界によって不正磁気データ読取装置を機能しないようにする技術が公開されている。
【０００３】
このような技術の１つとして、磁気カード挿入・排出用のカードスロットの外側部分の領域に磁界を発生させ、不正磁気データ読取装置を妨害する磁気カード取引装置がある（例えば、特許文献１参照）。この磁気カード取引装置では、カードスロット外側に不正に磁気ヘッドが取り付けられたとしても、磁界発生手段による妨害磁界によって、不正な磁気ヘッドを用いて挿入あるいは排出される磁気カードが読取られてしまうことを阻止することができる。
【０００４】
また、磁気情報記録媒体の挿入口周囲にループアンテナを設置し、挿入口前方の磁気情報読み取りを妨害する磁気データ読取装置がある（特許文献２参照）。この磁気データ読取装置では、磁気情報記録媒体の周囲を取り囲むように取り付けられたループアンテナと、ループアンテナから磁界を発生させるための発振器と、挿入口に挿入された磁気情報記録媒体を検出する媒体検出センサとを備え、媒体検出センサが磁気情報記録媒体を検出した場合に、発振器がループアンテナから磁界を発生させることにより、挿入口の前方における磁気情報記録媒体の磁気データ読み取りを妨害することができる。
【０００５】
また、特許文献２では、磁界発生部としてカード挿入口の周囲を囲むように取り付けられたループアンテナを使用している。
【先行技術文献】
【特許文献】
【０００６】
【特許文献１】特開２００１−６７５２４号公報
【特許文献２】特許第４４２５６７４号公報
【発明の概要】
【発明が解決しようとする課題】
【０００７】
上述した特許文献１では、磁界発生部がカードスロットの外側部分における磁気カードの磁気ストライプが通過する通過経路を含む領域に磁界を発生させているため、スキミングを阻止することができる。しかし、この方法では磁気データ読取装置本体が持つ磁気読取部に対しても妨害磁界を照射してしまう。これを防ぐため、磁界の発生時期をカードの挿入時及び排出時とする方法も記載されているが、この方法では磁気データ読取装置が磁気リードを行っている間は読み取り妨害を行うことができない。
【０００８】
また、特許文献２では、磁気データ読取装置本体が持つ磁気読取部に対して妨害磁界を照射し、自身の磁気読取を阻害してしまう。
【０００９】
本発明の目的は、磁気データ読取装置本体がもともと備えている磁気読取部の磁気読取を阻害せず、不正磁気データ読取装置による磁気データ詐取を効果的に妨害する磁気データ読取装置を提供することにある。
【課題を解決するための手段】
【００１０】
磁気記録媒体に記録された磁気データを読み取るための磁気ヘッドと、前記磁気ヘッドの配置位置を含む予め定めた第１の領域内での磁気データの読取を妨げるための妨害磁界を発生させる妨害磁界発生コイルと、前記磁気ヘッドの配置位置を含み前記第１の領域とは異なる第２の領域内おいて、当該妨害磁界を抑制する抑制磁界を発生させる抑制磁界発生コイルと、を備えることを特徴としている。
【００１１】
このように構成したことにより、磁界発生コイルから発生する妨害磁界が、自身の磁気読取部において打ち消される。このため、自身の磁気読取部では、妨害磁界に影響されずに磁気記録媒体のデータを読み取ることができ、データの読取性能が低下することが回避される。
【発明の効果】
【００１２】
本発明によれば、磁気データ読取装置に不正磁気データ読取装置が設置された場合であっても、磁気データ読取装置自身の機能に影響することなく、不正磁気データ読取装置の機能を妨害することができる。
【図面の簡単な説明】
【００１３】
【図１】第１の実施形態に係る磁気データ読取装置の側面断面図である。
【図２】第１の実施形態に係る磁気データ読取装置の構成図である。
【図３】（ａ）は妨害磁界が存在し、キャンセル磁界が存在しない場合における、磁気ヘッドの検出信号を示す波形図、（ｂ）はキャンセル磁界が存在し、妨害磁界が存在しない場合における、磁気ヘッドの検出信号を示す波形図、（ｃ）は妨害磁界とキャンセル磁界が共に存在する場合における、磁気ヘッドの検出信号を示す波形図である。
【図４】第２の実施の形態に係り、キャンセル磁界発生コイルが、磁界発生コイルと同じものであり、前記磁気読取部を中心に、前記磁界発生コイルと対称の位置に配置した場合における、磁気データ読取装置の側面断面図である。
【図５】第３の実施の形態に係り、キャンセル磁界発生コイルが、前記磁界発生コイルよりも小型であり、前記磁気読取部の近くに配置した場合における、磁気データ読取装置の側面断面図である。
【図６】第４の実施の形態に係り、キャンセル磁界発生コイルを、磁気データ読取装置の外部に配置した場合における、磁気データ読取装置の側面断面図である。
【図７】第５の実施の形態に係り、キャンセル磁界発生コイルを、カード搬送面に対して斜めに配置した場合における、磁気データ読取装置の側面断面図である。
【図８】第６の実施の形態に係り、磁界監視ルーチンを示す制御フローチャートである。
【発明を実施するための形態】
【００１４】
図１に示される如く、磁気データ読取装置１０は、矩形の筐体１２によって覆われている。この磁気データ読取装置１０では、磁気カード１４に設けられた磁気ストライプ（図示省略）から磁気データを読み取る。
【００１５】
磁気データ読取装置１０の挿入口１６には、通常は挿入口をふさいでおり、制御部がカード挿入を許可した場合に開くシャッタ装置が設けられている。また、当該挿入口１６から挿入される磁気カード１４に設けられた磁気データ層の有無を検出し、真のカードである（異物ではない）と判断する磁気ヘッド及び磁気情報読取部が設けられる場合がある。
【００１６】
磁気データ読取装置１０の筐体１２内は、挿入される磁気カード１４の搬送方向に沿って、複数組のローラ対１８、２０、２２、２４が配置され、直線状の磁気カード１４の搬送路２５が形成されている。ローラ対１８、２０、２２、２４は、それぞれ一方がモータの回転力が伝達される駆動ローラであり、他方がこの駆動ローラに従動して回転する従動ローラである。
【００１７】
ローラ対１８、２０、２２、２４は、モータ３８を主体として構成される駆動系４０（共に図２参照）からの駆動力で回転し、磁気カード１４を挟み込むことで、磁気カード１４を搬送可能としている。なお、搬送路２５の適宜位置（ローラ対１８、２０、２２、２４のそれぞれの下流側近傍）には、磁気カード１４の先端部を検出するフォトセンサ３４が設けられ、磁気カード１４の位置を制御することを可能にしている。
【００１８】
磁気カード１４の位置制御では、主として、駆動系の駆動（モータの回転方向、回転速度を含む）、停止を制御することにより、磁気カード１４の取り込み、および磁気カード１４の排出（返却）を行う。
【００１９】
前記ローラ対１８、２０、２２、２４の間には、搬送路２５を搬送する磁気カード１４の磁気データ層に対峙し得るように磁気ヘッド２６が配置されている。また、磁気ヘッド２６に対向するように、搬送路２５を挟んでプラテンローラ（図示省略）が配置されている。
【００２０】
図２に示すように、磁気データ読取装置１０は、装置全体の動作を制御するＣＰＵからなる制御部２８を備えている。
【００２１】
制御部２８は、前記磁気ヘッド２６を備え磁気カード１４の磁気ストライプに記録されている磁気データを読み取る磁気情報読取部３０と、ローラ対１８、２０、２２、２４を備え磁気カード１４を搬送するカード搬送路３２と、前記フォトセンサ３４を備え磁気カード１４の有無を検出するカード位置検出部３６と、モータ３８を備え磁気カード１４を搬送する駆動系４０と、磁気情報読取部３０で読み取った磁気データを記憶するメモリ４２と、上位装置（例えばＡＴＭ）との接続部であるホストインターフェース４４と、を備える。
【００２２】
制御部２８は、カード位置検出部３６による検出情報に基づいて、駆動系４０の駆動を制御するカード搬送制御部２８Ａを含む。
【００２３】
ここで、第１の実施の形態の磁気データ読取装置１０は、磁気ヘッド２６の磁気ストライプに記録されたデータの読み取りを妨げるための妨害磁界を発生する磁界発生部としての妨害磁界発生コイル４６と、前記磁気ヘッド２６において前記妨害磁界とは逆位相のキャンセル磁界を発生させる磁界発生部としてのキャンセル磁界発生コイル４８を備えている。
【００２４】
制御部２８は、妨害磁界発生コイル４６を制御する妨害磁界制御部２８Ｂと、キャンセル磁界発生コイル４８を制御するキャンセル磁界制御部２８Ｃとを含む。
【００２５】
妨害磁界発生コイル４６は、例えば、導体を１回または複数回ループ状に巻いたループアンテナによって構成される。妨害磁界発生コイル４６に駆動信号が印加されると、妨害磁界発生コイル４６は、図１に示すように、挿入口４付近に妨害磁界５０を発生させる。この妨害磁界５０は、不正行為者等により、挿入口１６の前面に取り付けられた不正磁気情報読取装置５２の一部を構成する不正磁気ヘッド５４による磁気カード１４の磁気情報の窃取を妨害する。
【００２６】
ところで、妨害磁界５０は、磁気データ読取装置１０の正規の構成である、筐体１２内に設けられた磁気ヘッド２６にも影響を及ぼす強度及び周波数となる場合がある。このため、単純に妨害磁界５０を発生させたのでは、正規の構成である磁気ヘッド２６に基づく、本来の磁気データの読取に支障をきたすことになる。
【００２７】
そこで、第１の実施の形態では、磁気データ読取装置１０に、妨害磁界発生コイル４６とは別に、キャンセル磁界発生コイル４８を設けた。
【００２８】
キャンセル磁界発生コイル４８は、前記妨害磁界発生コイル４６と同様の構成であり、例えば、導体を１回または複数回ループ状に巻いたループアンテナによって構成される。キャンセル磁界発生コイル４８に駆動信号が印加されると、図１に示すように、キャンセル磁界５６を発生させる。このキャンセル磁界５６は、正規の磁気ヘッド２６の位置において、妨害磁界５０と同一振幅及び同一周波数、かつ逆位相となっている。
【００２９】
すなわち、妨害磁界５０とキャンセル磁界５６の両方に影響される領域（以下、打ち消し領域という）は、相互に信号が打ち消されることになる。当該打ち消し領域内に存在（配置）された正規の磁気ヘッド２６は、妨害磁界５０に影響されず、磁気カード１４の磁気ストライプから磁気情報の読み取りが可能となる。
【００３０】
（比較例１）
図３（ａ１）及び（ａ２）は、磁気カード１４の磁気ストライプから磁気情報を読み取るときの正規の磁気ヘッド２６及び不正磁気ヘッド５４の待機状態（磁気情報非読取状態）の検出信号の波形として、妨害磁界５０のみを発生させた場合の例を示している。
【００３１】
図３（ａ１）に示される如く、正規の磁気ヘッド２６には、妨害磁界５０の影響が現れて検出信号が振動し、磁気カード１４の磁気ストライプからの磁気情報を読み取ることができない。また、図３（ａ２）に示される如く、不正磁気ヘッド５４においても、妨害磁界の影響が現れて検出信号が振動し、磁気カード１４の磁気ストライプからの磁気情報を読み取ることができない。
【００３２】
（比較例２）
次に、図３（ｂ１）及び（ｂ２）は、磁気カード１４の磁気ストライプから磁気情報を読み取るときの正規の磁気ヘッド２６及び不正磁気ヘッド５４の待機状態（磁気情報非読取状態）の検出信号の波形として、キャンセル磁界５６のみを発生させた場合の例を示している。
【００３３】
図３（ｂ１）に示される如く、正規の磁気ヘッド２６には、キャンセル磁界５６の影響が現れて検出信号が振動する。また、図３（ｂ２）に示される如く、不正磁気ヘッド５０においてはキャンセル磁界の影響が現れないか、現れたとしても軽微であり、検出信号は振動しない。
【００３４】
（本願発明「第１の実施の形態」）
図３（ｃ１）及び（ｃ２）は、磁気カード１４の磁気ストライプから磁気情報を読み取るときの正規の磁気ヘッド２６及び不正磁気ヘッド５４の待機状態（磁気情報非読取状態）の検出信号の波形として、妨害磁界５０及びキャンル磁界５６の双方を発生させた場合の例を示している。
【００３５】
図３（ｃ１）に示される如く、正規の磁気ヘッド２６においては、妨害磁界５０及びキャンセル磁界５６が、相互に同一振幅及び同一周波数、かつ逆位相であるため、両者の波形が打ち消し合って相殺されるため、検出信号はフラットとなり、磁気カード１４の磁気ストライプからの磁気情報を読み取ることが可能となる。また、図３（ｃ２）に示される如く、不正磁気ヘッド５４においては、キャンセル磁界５６が影響を及ぼす領域外であるため、妨害磁界５０のみの影響が現れて検出信号が振動し、磁気カード１４の磁気ストライプからの磁気情報を読み取ることができない。
【００３６】
このように、比較例１に示す妨害磁界５０と、比較例２とに示すキャンセル磁界５６とは、逆位相となっている。このため、第１の実施の形態（図３（ｃ２））に示すように、妨害磁界５０とキャンセル磁界５６が両方とも影響を及ぼす領域に存在する正規の磁気ヘッド２６の場合、互いの磁界が打ち消しあうことになる。
【００３７】
従って、妨害磁界５０により、挿入口１６の近傍に取り付けられた不正磁気データ読取装置１０による磁気カード１４の磁気情報の窃取を妨害することが可能となる。一方、筐体１２内に取り付けられた正規の磁気ヘッド２６においては、妨害磁界５０とキャンセル磁界５６とが打ち消しあい、磁気カード１４の磁気ストライプから磁気情報を読み取りが磁界（妨害磁界５０）により阻害されることがなくなり、不正行為を排除し、かつ確実に磁気情報を読み取ることができる。
【００３８】
（第２の実施形態）
以下に、本発明の第２の実施の形態について説明する。
【００３９】
図４に示すように、正規の磁気ヘッド２６を中心に対称の位置に妨害磁界発生コイル４６とキャンセル磁界発生コイル４８とを設置してもよい。このとき、キャンセル磁界発生コイル４８の構成は、妨害磁界発生コイル４６と同一構成のものを使用する。同一構成とは、少なくとも、出力強度（振幅）、周波数が同一であることをいう。第２の実施の形態では、この同一構成の磁界発生コイル（妨害磁界発生コイル４６及びキャンセル磁界発生コイル４８）を逆位相で出力する。
【００４０】
第２の実施の形態において、キャンセル磁界発生コイル４８に対し、妨害磁界発生コイル４６と同様の駆動信号を印加することで、正規の磁気ヘッド２６の位置においては妨害磁界５０とキャンセル磁界５６は同じ大きさで逆位相となる。よって、キャンセル磁界制御部２８Ｃはキャンセル磁界発生コイル４０に対して、妨害磁界制御部２８Ｂ磁界が発生コイル４６に対して行う制御と同一の制御を行うだけで、磁気データ読取装置１０は磁気カード１４に記録された磁気データを読み取ることが可能となる。
【００４１】
（第３の実施形態）
以下に、本発明の第３の実施の形態について説明する。
【００４２】
図５に示すように、第３の実施の形態では、キャンセル磁界発生コイル４８が、基本構成である第１の実施の形態よりも、正規の磁気ヘッド２６の近傍に配置されている。
【００４３】
第３の実施の形態によれば、キャンセル磁界発生コイル４８から発生させるキャンセル磁界５６は、正規の磁気ヘッド２６に近い分、妨害磁界５０よりも強度が小さくて済む。
【００４４】
このため、キャンセル磁界発生コイル４８は、妨害磁界発生コイル４６よりも小型化することが可能であり、筐体１２内での狭いスペースで、不正磁気情報読取装置５２の不正磁気ヘッド５４による磁気データ詐取を防ぎ、かつ、常に磁気データ読取装置１０が磁気カード１４に記録された磁気データを読み取ることが可能となる。
【００４５】
（第４の実施形態）
以下に、本発明の第４の実施の形態について説明する。
【００４６】
第４の実施の形態では、前記第３の実施の形態と同様に、筐体１２内のスペースが狭く、キャンセル磁界発生コイル４８の取り付けが困難又は不可能な場合に適用される。
【００４７】
すなわち、図６に示すように、第４の実施の形態では、キャンセル磁界発生コイル４８が、磁気データ読取装置１０の外部（筐体１２よりも外側）に設置されている。
【００４８】
第４の実施の形態によれば、磁気データ読取装置１０の内部に新たに設置スペースを設けることなく、磁気データ読取装置１０は妨害磁界５０に影響されずに磁気カード１４に記録された磁気データを読み取ることができ、データの読取性能が低下することを回避できる。換言すれば、磁気データ読取装置内部にキャンセル磁界発生コイルを設置するスペースが無い場合であっても、磁気読取部の磁気読取を阻害せず、不正磁気データ読取装置による磁気データ詐取を効果的に妨害する磁気データ読取装置を提供することが可能となる。
【００４９】
（第５の実施形態）
以下に、本発明の第５の実施の形態について説明する。
【００５０】
第５の実施の形態では、図７に示すように、キャンセル磁界発生コイル４８が、磁気カード１４の搬送路２５に対して、傾斜角度を持って配置されている。
【００５１】
第５の実施の形態によれば、不正磁気データ読取装置５２の不正磁気ヘッド５４の位置では妨害磁界５０により磁気カード１４に記録された磁気データを読み取ることが出来ない。
【００５２】
一方、正規の磁気ヘッド２６おいては、妨害磁界５０とキャンセル磁界５６とが打ち消しあい、磁気カード１４に記録された磁気データを読み取ることができ、データの読取性能が低下することを回避できる。
【００５３】
このように、第５の実施の形態では、妨害磁界５０とキャンセル磁界５６が作用する方向がそれぞれ違うため、例えば、妨害磁界発生コイル４６とキャンセル磁界発生コイル４８が近くに配置されていた場合であっても、不正磁気データ読取装置５２の不正磁気ヘッド５４に対しては、キャンセル磁界５６を作用させることなく、妨害磁界５０のみを作用させることが可能となる。
【００５４】
以上説明したように、第１の実施の形態では、磁気カード１４の磁気ストライプに記録された磁気データを読み取るための正規の磁気ヘッド２６と、不正磁気ヘッド５４による磁気読取を妨げるための妨害磁界を発生させる磁界発生コイル４６と、正規の磁気ヘッド２６の配置領域において妨害磁界とは逆位相で妨害磁界の影響を抑制する磁界（例えば、妨害磁界を打ち消すことが可能なキャンセル磁界）を発生させるキャンセル磁界発生コイル４８と、を有する。
【００５５】
このように構成したことにより、妨害磁界がキャンセル磁界によって、正規の磁気ヘッド２６の配置領域において打ち消される。このため、正規の磁気ヘッドでは、妨害磁界に影響されずに磁気記録媒体のデータを読み取ることができ、データの読取性能が低下することが回避される。
【００５６】
また、第２の実施の形態では、キャンセル磁界発生コイル４８が、前記妨害磁界発生コイル４６と同一構成であり、正規の磁気ヘッド２６を中心に、妨害磁界発生コイル４６と対称の位置に配置した。
【００５７】
このように構成したことにより、妨害磁界発生コイル４６とキャンセル磁界発生コイル４８とに、同一の駆動信号（同一振幅、同一周波数）を逆極性となるように印加するだけで、磁気ヘッド２６の配置領域における妨害磁界を打ち消すことが出来るため、キャンセル磁界発生コイル４８の駆動信号制御が容易となる。
【００５８】
さらに、第３の実施の形態では、キャンセル磁界発生コイル４８、妨害磁界発生コイル４６よりも小型であり、正規の磁気ヘッド２６の近くに配置した。
【００５９】
このように構成したことにより、より省スペースで、正規の磁気ヘッド２６の磁気読取を阻害せず、不正磁気データ読取装置５２の不正磁気ヘッド５４による磁気データ詐取を効果的に妨害することができる。
【００６０】
また、第４の実施の形態では、キャンセル磁界発生コイル４８を、磁気データ読取装置１０の外部に配置した。
【００６１】
このように構成したことにより、磁気データ読取装置１０の内部に、キャンセル磁界発生コイル４８を設置するスペースが無い場合であっても、磁気読取部の磁気読取を阻害せず、不正磁気データ読取装置５２による磁気データ詐取を効果的に妨害する磁気データ読取装置を提供することが可能となる。
【００６２】
さらに、第５の実施の形態ではキャンセル磁界発生コイル４８が、搬送路２５に対して傾斜角度を持って配置され、正規の磁気ヘッド２６に対してのみ影響を与えるように構成した。
【００６３】
このように構成したことにより、不正磁気データ読取装置５２の不正磁気ヘッド５４の位置では、より確実に妨害磁界発生コイル４６から発生する妨害磁界５０のみが影響し、磁気データ詐取を妨害することが可能となる。
【００６４】
一方、磁気データ読取装置１０の正規の磁気ヘッド２６では、妨害磁界５０とキャンセル磁界５６とが打ち消し合い、妨害磁界５０に影響されずに磁気カード１４の磁気ストライプのデータを読み取ることができ、データの読取性能が低下することが回避される。
【００６５】
（第６の実施の形態）
以下に、本発明の第６の実施の形態について説明する。
【００６６】
第６の実施の形態の特徴は、磁気データ読取装置１０に、不正磁気データ読取装置５２を取り付けて不正を行う所謂スキマーが、妨害磁界発生コイル４６の存在を認識し、妨害磁界発生コイル４６の機能が遮断（例えば、配線切断等）されることを監視することを特徴としている。
【００６７】
すなわち、正規の磁気ヘッド２６は、図３（ｃ１）に示される如く、妨害磁界とキャンセル磁界との組み合わせで相互に磁界が相殺され、検出信号がフラットになる。
【００６８】
これを逆利用して、妨害磁界が途絶えたとき、図３（ｂ１）に示される如く、正規の磁気ヘッド２６が、キャンセル磁界によって検出信号に振動が発生する。
【００６９】
磁気データの非読取中（すなわち、磁気カード１３の非挿入中）において、正規の磁気ヘッド２６の出力信号を監視することで、異常（妨害磁界発生コイル４６の機能遮断状態）を検出する。
【００７０】
異常を検出した場合、例えば、異常報知、挿入口１６に設けたシャッタ（図示省略）を磁気カード１４が検出されても開放しない、又は、異常検出直後から一定時間内に挿入された磁気カード１４を排出しない、といった異常対策をとることができる。
【００７１】
図８は、第６の実施の形態に係る磁界監視ルーチンを示す制御フローチャートである。
【００７２】
ステップ１００では、現在、磁気データの読取中か否かが判断される。なお、磁気カード１４が搬送路２５に存在しているか否かで判断してもよい。
【００７３】
ステップ１００で否定判定された場合は、正規の磁気ヘッド２６による磁気データの読み取り中で磁界監視はできないため、このルーチンは終了する。
【００７４】
また、ステップ１００で否定判定されると、搬送路２５には磁気カード１４が存在せず、磁界監視可能であるため、ステップ１０２へ移行する。
【００７５】
ステップ１０２では、正規の磁気ヘッド２６の検出信号を取り込み、次いで、ステップ１０４へ移行して、取り込んだ検出信号を解析する。
【００７６】
次のステップ１０６では、解析した検出信号が正常か異常かを判定する。
【００７７】
ここで、解析した検出信号がフラット信号（図３（ｃ１）の波形）であれば、ステップ１０６において正常判定され、このルーチンは終了する。
【００７８】
一方、解析した検出信号が振動信号（図３（ｂ１）の波形）であれば、妨害磁界が機能しないため、ステップ１０６において異常判定され、ステップ１０８へ移行する。
【００７９】
ステップ１０８では、異常対策処理が実行される。異常対策処理としては、以下の４例が挙げられるが、異常対策処理としては、当該４例に限定されるものではない。
【００８０】
（例１）
カード読取装置１０の管理者に異常発生を通知したり、カード読取装置１０の設置環境領域で警告（音、ランプ等）を発生させる。なお、警備会社及び警察等の警備管理機関へ通知するようにしてもよい。
【００８１】
（例２）
カード読取装置１０に設けられた挿入口１４には、シャッタ機構が具備され磁気ストライプを検出して正規の磁気カードであることを認識した場合に、シャッタ機構を開放するようになっている。異常発生時は、このシャッタ機構の動作を禁止して挿入口１６からの磁気カード１４の挿入を拒否する。
【００８２】
（例３）
例２とは逆に、異常発生時から所定期間中に挿入された磁気カード１４を返却せず、回収する。
【００８３】
（例４）
妨害磁界の位相が何等か原因でずれたことを想定し、妨害磁界の位相と逆位相となるように、キャンセル磁界のパラメータ及び位相を調整し、正規の磁気ヘッド２６の検出信号をフラット化する。
【００８４】
ステップ１０８での異常対策処理が終了すると、ステップ１００へ戻り、上記工程を繰り返す。
【産業上の利用可能性】
【００８５】
本発明は、ＡＴＭのような自動取引処理装置に搭載されるカードリーダや通帳リーダ、あるいはカード認証端末に搭載されるカードリーダなど、磁気記録媒体を読み取る装置全般に適用することができる。
【符号の説明】
【００８６】
１０    磁気データ読取装置
１２    筐体
１４    磁気カード
１６    挿入口
１８，２０、２２、２４    ローラ対
２５    搬送路
２６    磁気ヘッド
２８    制御部
２８Ａ    カード搬送制御部
２８Ｂ    妨害磁界制御部
２８Ｃ    キャンセル磁界制御部
３０    磁気情報読取部
３２    カード搬送路
３４    フォトセンサ
３６    カード位置検出部
３８    モータ
４０    駆動系
４２    メモリ
４４    ホストインターフェース
４６    妨害磁界発生コイル
４８    キャンセル磁界発生コイル
５０    妨害磁界
５２    不正磁気情報読取装置
５４    不正磁気ヘッド
５６    キャンセル磁界
【図１】
0006518581.tif 000002
【図２】
0006518581.tif 000003
【図３】
0006518581.tif 000004
【図４】
0006518581.tif 000005
【図５】
0006518581.tif 000006
【図６】
0006518581.tif 000007
【図７】
0006518581.tif 000008
【図８】
0006518581.tif 000009